(57)【特許請求の範囲】
【請求項１】
下記（ａ）成分〜（ｄ）成分及び水を含有し、（ａ）成分の含有量が０．５〜１０質量％、（ｂ）成分の含有量が１〜２０質量％、（ｃ）成分の含有量が１〜１０質量％、（ｄ）成分の含有量が０．５〜５質量％、（ｄ）成分と（ｃ）成分の含有量の比が（ｄ）成分／（ｃ）成分＝１／１０〜１／２（質量比）であり、２０℃におけるｐＨが６〜９である、弱アルカリ性洗剤と併用して用いる布帛消臭剤。
（ａ）成分：下記一般式（１）で表される化合物
（ｂ）成分：炭素数１０〜１４のアルキル基とＥＯ平均付加モル数１〜６のポリオキシエチレン基を有するポリオキシエチレンアルキルエーテル硫酸エステル塩及び下記一般式（２）で表される非イオン界面活性剤から選ばれる１種以上の界面活性剤
（ｃ）成分：水溶性有機溶剤
（ｄ）成分：下記Ａ群から選ばれる香料、及びＢ群から選ばれる香料をそれぞれ少なくとも１種以上含有する香料成分
＜Ａ群＞
Ａ−１：炭素数５〜２０のエステル類
Ａ−２：炭素数５〜１５のアルデヒド類
Ａ−３：大環状、イソクロマン系、インダン系、テトラリン系ムスク
＜Ｂ群＞
Ｂ−１：炭素数５〜１５のアルコール
Ｂ−２：炭素数１０〜１５の炭化水素
【化１】
0004562958.tif 000007
〔式中、Ｒ1は炭素数８〜２４のアルキル基又はアルケニル基であり、Ｒ2は炭素数１〜６のアルキレン基であり、Ｒ3、Ｒ4及びＲ5はそれぞれ独立に、メチル基、エチル基又はヒドロキシエチル基であり、Ａは−ＣＯＯ−及び−ＣＯＮＨ−から選ばれる基であり、ａは０又は１であり、Ｙ-は陰イオン基である。〕
Ｒ6−Ｂ−[(Ｒ7Ｏ)b−Ｈ]c      （２）
〔式中、Ｒ6は、炭素数１０〜１４のアルキル基であり、Ｒ7は炭素数２又は３のアルキレン基である。ｂは２〜１００の数を示す。Ｂは−Ｏ−、−ＣＯＮ＜又は−Ｎ＜であり、Ｂが−Ｏ−の場合はｃは１であり、Ｂが−ＣＯＮ＜又は−Ｎ＜の場合はｃは２である。〕
【請求項２】
（ｃ）成分が炭素数２〜５の１価アルコールである請求項１記載の布帛消臭剤。
【請求項３】
（ｄ）成分の、Ａ群の香料とＢ群の香料の質量比がＡ群／Ｂ群＝１／５〜２／１である請求項１又は２記載の布帛消臭剤。
【請求項４】
Ａ−１がケイ皮酸エチル、酢酸ノピル、ｏ−ｔ−ブチルシクロヘキシルアセテート、アリルアミルグリコレート、酢酸リナリル、 cis−３−ヘキセニルアセテート、酢酸ベンジル、プロピオン酸ベンジルであり、Ａ−２がアルデヒドＣ9〜Ｃ12、リラール、リリアール、ヘキシルシンナミックアルデヒドであり、Ａ−３がエチレンブラシレート、テンタローム、パーライド（花王（株）製）であり、Ｂ−１がフェニルエチルアルコール、リナロール、フェノキシエタノール、ウンデカベルトール、ジプロピレングリコール、セダーアルコール、シトロネロール、ゲラニオールであり、Ｂ−２がリモネン、ジペンテン、ターピノレンである請求項１記載の布帛消臭剤。
【発明の詳細な説明】
【０００１】
【発明の属する技術分野】
本発明は布帛消臭剤及びそれを用いる布帛の消臭方法に関する。
【０００２】
【従来の技術及び発明が解決しようとする課題】
衣類等の布帛には体臭、タバコ臭、ペット臭又は調理臭等の不快な臭いが付着しやすく、このような臭いは通常の弱アルカリ洗剤を用いて洗濯すると大部分は除去されるが、皮脂や汗に由来する臭い等は洗濯においても完全には除去することができない。
【０００３】
このような臭いを消臭する方法として、特表平１０−５０３９５２号公報、及びＵＳＰ５９４２２１７にはシクロデキストリンを含有する水溶液を布帛にスプレーする技術が開示されている。しかしながらこの技術ではスプレーした部分にはある程度の効果があるが衣料全体を効率よく消臭することは困難である。
【０００４】
衣料全体を消臭する方法としては、洗濯時の洗浄液やすすぎ液に消臭剤を添加する方法が効率的である。本出願人らは特開２０００−１６９８７７号公報に衣料賦香用の液状香料組成物を開示している。この技術は洗濯時に該組成物を添加することで衣料に好ましい香りを付与することができる。しかしながら、残存する皮脂等に由来する臭いを消臭する効果に関しては未だ満足できるレベルではなくこの改善が求められている。
【０００５】
本発明の課題は、洗濯時の洗浄液やすすぎ液に添加することで洗濯だけでは除去することができない臭いを消臭することができる布帛消臭剤、及び布帛の消臭方法を提供することにある。
【０００６】
【課題を解決するための手段】
本発明は、（ａ）陽イオン界面活性剤、（ｂ）陰イオン界面活性剤及び非イオン界面活性剤から選ばれる１種以上の界面活性剤、（ｃ）水溶性有機溶剤、（ｄ）下記Ａ群から選ばれる香料、及びＢ群から選ばれる香料をそれぞれ少なくとも１種以上含有する香料成分、及び水を含有し、（ａ）成分の含有量が０．５〜１０質量％、（ｄ）成分の含有量が０．５〜５質量％である布帛消臭剤、及びこの布帛消臭剤を含有する水溶液に布帛を浸漬させる布帛の消臭方法を提供する。
【０００７】
＜Ａ群＞
Ａ−▲１▼：炭素数５〜２０のエステル類
Ａ−▲２▼：炭素数５〜１５のアルデヒド類
Ａ−▲３▼：大環状、イソクロマン系、インダン系、テトラリン系ムスク
＜Ｂ群＞
Ｂ−▲１▼：炭素数５〜１５のアルコール
Ｂ−▲２▼：炭素数１０〜１５の炭化水素
【０００８】
【発明の実施の形態】
［（ａ）成分］
（ａ）成分の陽イオン界面活性剤としては、消臭効果の点から、一般式（１）で表される化合物が好ましい。
【０００９】
【化２】
0004562958.tif 000002
【００１０】
〔式中、Ｒ1は炭素数８〜２４のアルキル基又はアルケニル基であり、Ｒ2は炭素数１〜６のアルキレン基であり、Ｒ3、Ｒ4及びＲ5はそれぞれ独立に、炭素数１〜３のアルキル基、炭素数１〜３のヒドロキシアルキル基又は式Ｒ1−［Ａ−Ｒ2］a−で表される基であり、Ａは−ＣＯＯ−、−ＯＣＯ−、−ＣＯＮＨ−及び−ＮＨＣＯ−から選ばれる基であり、ａは０又は１であり、Ｙ-は陰イオン基である。〕
一般式（１）において、Ｒ1は、好ましくは炭素数１０〜１８、特に好ましくは炭素数１０〜１６の直鎖アルキル基であり、Ｒ2は、好ましくは炭素数２又は３のアルキレン基であり、Ｒ3、Ｒ4及びＲ5は、好ましくはメチル基、エチル基又はヒドロキシエチル基であり、Ａは好ましくは−ＣＯＯ−又は−ＣＯＮＨ−であり、ａは０が消臭効果の持続性の点から好ましい。
【００１１】
［（ｂ）成分］
（ｂ）成分の陰イオン界面活性剤及び非イオン界面活性剤から選ばれる１種以上の中で、本発明で好ましく用いられる陰イオン界面活性剤は、炭素数８〜２０、好ましくは８〜１８のアルキル基又はアルケニル基を有し、−ＣＯＯＭ基、−ＳＯ3Ｍ基及び／又は−ＯＳＯ3Ｍ基〔Ｍ：対イオン〕、好ましくは−ＳＯ3Ｍ基及び／又は−ＯＳＯ3Ｍ基を有する陰イオン界面活性剤である。好ましい具体例としては、炭素数８〜１８のアルキル基又はアルケニル基を有するアルキルベンゼンスルホン酸塩、ポリオキシアルキレンアルキルエーテル硫酸エステル塩、アルキル硫酸エステル塩、α−オレフィンスルホン酸塩、α−スルホ脂肪酸塩、α−スルホ脂肪酸低級アルキルエステル塩又は脂肪酸塩を挙げることができる。
【００１２】
アルキルベンゼンスルホン酸塩としては、洗剤用界面活性剤市場に一般に流通しているものの中で、アルキル鎖の炭素数が８〜１６のものを好ましく用いることができ、例えば花王（株）製のネオペレックスＦ２５、Ｓｈｅｌｌ社製のＤｏｂｓ１０２等を用いることができる。また、工業的には、洗剤用原料として広く流通しているアルキルベンゼンをクロルスルホン酸、亜硫酸ガス等の酸化剤を用いてスルホン化して得ることもできる。アルキル基の炭素数は１０〜１４が特に好ましい。
【００１３】
また、ポリオキシアルキレンアルキルエーテル硫酸塩としては、平均炭素数１０〜１８、好ましくは１０〜１６の直鎖もしくは分岐鎖１級アルコール又は直鎖２級アルコールに、エチレンオキシド（以下ＥＯという）及び／又はプロピレンオキシド（以下ＰＯという）を１分子当たり平均０．５〜１０モル付加させて得られるポリオキシアルキレンアルキルエーテルを、例えば特開平９−１３７１８８号記載の方法を用いて硫酸化して得ることができる。アルキル基の炭素数は１０〜１６が特に好ましい。ポリオキシアルキレンアルキルエーテルを得る方法としては、ＫＯＨ、ＮａＯＨ等の通常のアルカリ触媒を用いる方法以外に、特開平８−３２３２００号公報に記載の酸化マグネシウムを主成分とする触媒を用いることができ、前者は比較的付加モル数分布が広いポリオキシアルキレンアルキルエーテルを得ることができ、後者は比較的狭い付加モル数分布を有する化合物を得ることができる。
【００１４】
アルキル硫酸エステル塩としては、炭素数１０〜１６、好ましくは１０〜１４の直鎖もしくは分岐鎖１級アルコール又は直鎖２級アルコールをＳＯ3又はクロルスルホン酸でスルホン化し、中和して得ることができる。
【００１５】
α−オレフィンスルホン酸塩としては、炭素数８〜１８の１−アルケンをＳＯ3でスルホン化し、水和／中和を経て得ることができ、炭化水素基中にヒドロキシ基が存在する化合物と不飽和結合が存在する化合物の混合物である。
【００１６】
また、α−スルホ脂肪酸低級アルキルエステル塩としては、脂肪酸の炭素数は１０〜１６が好ましく、メチルエステル又はエチルエステルが洗浄効果の点から好ましい。
【００１７】
これらの陰イオン界面活性剤の中では、消臭効果及び消臭剤の物理的安定性の点から、炭素数１０〜１４のアルキル基とＥＯ平均付加モル数１〜６のポリオキシエチレン基を有するポリオキシエチレンアルキルエーテル硫酸エステル塩が特に良好である。塩としてはナトリウム塩、カリウム塩、マグネシウム塩、カルシウム塩、アルカノールアミン塩、アンモニウム塩が好適であり、洗浄効果の点からナトリウム塩、カリウム塩、マグネシウム塩が好ましい。
【００１８】
本発明で好ましく用いられる非イオン界面活性剤としては、炭素数８〜２０、好ましくは８〜１８、特に好ましくは１０〜１４のアルキル基またはアルケニル基、好ましくはアルキル基を有するポリオキシアルキレンアルキルエーテルが好ましく、特に一般式（２）で表される非イオン界面活性剤が良好である。
【００１９】
Ｒ6−Ｂ−[(Ｒ7Ｏ)b−Ｈ]c      （２）
〔式中、Ｒ6は、炭素数１０〜１４のアルキル基であり、Ｒ7は炭素数２又は３のアルキレン基であり、好ましくはエチレン基である。ｂは２〜１００、好ましくは５〜８０、特に好ましくは５〜６０の数を示す。Ｂは−Ｏ−、−ＣＯＮ＜又は−Ｎ＜であり、Ｂが−Ｏ−の場合はｃは１であり、Ｂが−ＣＯＮ＜又は−Ｎ＜の場合はｃは２である。〕
一般式（２）で表される化合物の好ましい具体例として以下の化合物を挙げることができる。
【００２０】
Ｒ6−Ｏ−(Ｃ2Ｈ4Ｏ)d−Ｈ
〔式中、Ｒ6は前記の意味を示す。ｄは５〜６０、好ましくは５〜４０の数である。〕
Ｒ6−Ｏ−(Ｃ2Ｈ4Ｏ)e−(Ｃ3Ｈ6Ｏ)f−Ｈ
〔式中、Ｒ6は前記の意味を示す。ｅ及びｆはそれぞれ独立に２〜４０、好ましくは２〜２０の数であり、ＥＯとＰＯはランダムあるいはブロック付加体であってもよい。〕
【００２１】
【化３】
0004562958.tif 000003
【００２２】
〔式中、Ｒ6は前記の意味を示す。ｇ、ｈ、ｉ及びｊはそれぞれ独立に０〜４０、好ましくは２〜４０の数であり、ｇ＋ｈ＋ｉ＋ｊは３〜６０、好ましくは３〜４０の数である。ＥＯとＰＯはランダムあるいはブロック付加体であってもよい。〕
本発明で（ｂ）成分として最も好ましいものは、一般式（２）で表される非イオン界面活性剤である。
【００２３】
［（ｃ）成分］
（ｃ）成分の水溶性有機溶剤としては、（ｉ）炭素数２〜５の１価アルコール、（ii）炭素数２〜１２の多価アルコール、（iii）一般式（３）で表される化合物、（iv）一般式（４）で表される化合物、（ｖ）一般式（５）で表される化合物が挙げられる。
【００２４】
【化４】
0004562958.tif 000004
【００２５】
〔式中、Ｒ8及びＲ9は、それぞれ水素原子、炭素数１〜６のアルキル基、フェニル基又はベンジル基を示すが、Ｒ8及びＲ9の双方が水素原子となる場合を除く。
ｍは０〜１０の数を、ｎは０〜１０の数を示すが、ｍ及びｎの双方が０である場合を除く。Ｒ10及びＲ11は炭素数１〜３のアルキル基を示す。Ｒ12は炭素数１〜８のアルキル基を示す。〕
（ｉ）の炭素数２〜５の１価アルコールとしては、エタノール、プロピルアルコール、イソプロピルアルコール等が挙げられる。
【００２６】
（ii）の炭素数２〜１２の多価アルコールとしては、イソプレングリコール、２，２，４−トリメチル−１，３−ペンタンジオール、１，８−オクタンジオール、１，９−ノナンジオール、エチレングリコール、プロピレングリコール、ジエチレングリコール、ジプロピレングリコール、グリセリン等が挙げられる。
【００２７】
（iii）の化合物は、一般式（３）において、Ｒ8及びＲ9がアルキル基である場合の炭素数は１〜４が特に好ましい。また、一般式（３）中、ＥＯ及びＰＯの平均付加モル数のｍ及びｎは、それぞれ０〜８の数が好ましい（ｍ及びｎの双方が０である場合を除く）が、これらの付加順序は特に限定されず、ランダム付加したものでもブロック付加したものでもよい。（iii）の化合物の具体例としては、エチレングリコールモノブチルエーテル、ジプロピレングリコールジメチルエーテル、ジエチレングリコールモノエチルエーテル、ジエチレングリコールモノブチルエーテル、プロピレングリコールモノメチルエーテル、プロピレングリコールモノブチルエーテル、プロピレングリコールモノエチルエーテル、プロピレングリコールジメチルエーテル、ポリオキシエチレン（ｐ＝２〜３）ポリオキシプロピレン（ｐ＝２〜３）ジメチルエーテル（ｐは平均付加モル数を示す）、ポリオキシエチレン（ｐ＝１〜４）フェニルエーテル、フェニルカルビトール、フェニルセロソルブ、ベンジルカルビトール等が挙げられる。このうちプロピレングリコールモノメチルエーテル、ジエチレングリコールモノブチルエーテル、ポリオキシエチレン（ｐ＝１〜４）フェニルエーテルが好ましい。
【００２８】
また、（iv）の化合物としては、１，３−ジメチル−２−イミダゾリジノン、１，３−ジエチル−２−イミダゾリジノンが好適なものとして例示され、（ｖ）の化合物は、アルキルグリセリルエーテルであり、Ｒ12が炭素数３〜８のアルキル基である化合物が好ましい。
【００２９】
これらのなかでも本発明の性質を満たすために、（ｉ）、（ii）、（iii）、（ｖ）の水溶性有機溶剤が好ましく、特にエタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、ポリオキシエチレン（ｐ＝１〜３）フェニルエーテル、ペンチルグリセリルエーテル、オクチルグリセリルエーテルから選ばれる水溶性有機溶剤が好ましく、特にエタノール、イソプロピルアルコール、エチレングリコール、プロピレングリコールが好適である。
【００３０】
［（ｄ）成分］
（ｄ）成分の香料成分は、上記Ａ群から選ばれる香料、及びＢ群から選ばれる香料をそれぞれ少なくとも１種以上含有するが、Ａ群の香料とＢ群の香料の質量比は、Ａ群／Ｂ群＝１／１０〜１０／１、特に１／５〜２／１が消臭効果の点から好ましい。
【００３１】
これら香料のより好ましい具体例としては、Ａ−▲１▼としてケイ皮酸エチル、酢酸ノピル、ｏ−ｔ−ブチルシクロヘキシルアセテート、アリルアミルグリコレート、酢酸リナリル、 cis−３−ヘキセニルアセテート、酢酸ベンジル、プロピオン酸ベンジル等が挙げられ、Ａ−▲２▼としてアルデヒドＣ9〜Ｃ12、リラール、リリアール、ヘキシルシンナミックアルデヒド等が挙げられ、Ａ−▲３▼としてエチレンブラシレート、テンタローム、パーライド（花王（株）製）等が挙げられ、Ｂ−▲１▼としてフェニルエチルアルコール、リナロール、フェノキシエタノール、ウンデカベルトール、ジプロピレングリコール、セダーアルコール、シトロネロール、ゲラニオール等が挙げられ、Ｂ−▲２▼としてリモネン、ジペンテン、ターピノレン等が挙げられる。
【００３２】
［布帛消臭剤］
本発明の布帛消臭剤中の（ａ）成分の含有量は、０．５〜１０質量％、好ましくは０．５〜５質量％であり、（ｄ）成分の含有量は、０．５〜５質量％、好ましくは０．５〜３質量％である。
【００３３】
本発明の布帛消臭剤中の（ｂ）成分の含有量は、１〜２０質量％が好ましく、１〜１０質量％が更に好ましい。また、（ｃ）成分の含有量は、１〜３０質量％が好ましく、１〜１０質量％が更に好ましい。また、本発明では消臭効果及び消臭剤の外観を審美的に好ましい均一透明にする観点から、（ｄ）成分／[（ａ）成分＋（ｂ）成分]の質量比は、好ましくは１／１００〜１／１、特に好ましくは１／５０〜１／２である。また、（ｄ）成分／（ｃ）成分の質量比は、好ましくは１／２０〜１／１、特に好ましくは１／１０〜１／２である。さらに（ａ）成分／（ｂ）成分の質量比は、消臭効果及び消臭効果の持続性の点から好ましくは１／２０〜１／１、特に好ましくは１／１０〜１／２である。
【００３４】
本発明の布帛消臭剤は、上記成分を水に溶解した水溶液の形態が使い勝手及び貯蔵安定性の点から好ましく、水の含有量は３５〜９７質量％、好ましくは４０〜９５質量％、より好ましくは６０〜９５質量％、特に好ましくは８０〜９５質量％である。また、本発明の布帛消臭剤は２０℃におけるｐＨを好ましくは６〜９、より好ましくは６．５〜８、特に好ましくは７〜８にすることが消臭効果及び消臭効果の持続性の点から好ましい。ｐＨ調整剤としては塩酸、硫酸等の無機酸や、クエン酸、コハク酸、リンゴ酸、フマル酸、酒石酸、マロン酸、マレイン酸等の有機酸などの酸剤や、水酸化ナトリウムや水酸化カリウム、アンモニアやその誘導体、モノエタノールアミン、ジエタノールアミン、トリエタノールアミン等のアミン塩、炭酸ナトリウム、炭酸カリウム等の炭酸塩などのアルカリ剤を、単独もしくは複合して用いることが好ましく、特に塩酸、硫酸、クエン酸から選ばれる酸と、水酸化ナトリウムや水酸化カリウムから選ばれるアルカリ剤を用いることが好ましい。
【００３５】
本発明の布帛消臭剤は基本的に上記（ａ）成分〜（ｄ）成分及び水から構成されるものであるが、消臭効果の持続性をさらに高める目的から、（ｅ）成分として、（ａ）及び（ｄ）成分以外の抗菌剤を用いることができる。具体的に好ましい抗菌剤としては、「香粧品、医薬品防腐・殺菌剤の科学」吉村孝一、滝川博文著、フレグランスジャーナル社、１９９０年４月１０日発行、５０１頁〜５６４頁に記載されているものを使用することができ、特に好ましいものは、トリクロサン、ビス−（２−ピリジルチオー１−オキシド）亜鉛、２，４，５，６−テトラクロロイソフタロニトリル、トリクロロカルバニリド、２−（４−チオシアノメチルチオ）ベンズイミダゾール、ポリヘキサメチレンビグアニジン塩酸塩、グルクロン酸クロルヘキシジン、８−オキシキノリン、ポリリジンから選ばれる１種以上であり、特にトリクロサンが臭いの抑制効果の点で好ましい。また、特開平１１−１８９９７５号に記載されているトリクロサン類自体も良好であり、具体的にはジクロロヒドロキシジフェニルエーテル、モノクロロヒドロキシジフェニルエーテルが好ましい。
【００３６】
本発明の布帛消臭剤は、（ｅ）成分を好ましくは０〜２０質量％、より好ましくは０．０１〜１０質量％、更に好ましくは０．１〜５質量％、特に好ましくは０．１〜３質量％含有することが消臭効果及び消臭効果の持続性の点から好ましい。
【００３７】
本発明の布帛消臭剤には、トイレタリー製品等に用いられる一般的な成分を配合することもできる。具体的には着色剤、分散剤、研磨剤、防菌・防カビ剤、金属封鎖剤、ハイドロトロープ剤等を本発明の効果に影響しない範囲で配合することができる。
【００３８】
［布帛消臭剤の調製法］
本発明の布帛消臭剤は、（ａ）成分及び／又は（ｂ）成分、好ましくは（ａ）成分の一部又は全部、及び（ｃ）成分の一部又は全部と（ｄ）成分を予め混合し、均一な溶液とする工程１、残りの（ａ）成分と残りの（ｂ）成分を水に溶解させ、４０〜９０℃で加熱混合し１０〜４０℃に冷却する工程２、及び、工程１で得られた混合物と工程２で選られた混合物及びその他の成分を混合する工程３から調製することが、布帛消臭剤を均一透明な外観にする観点から好ましい。工程１において、（ｄ）成分／[（ａ）成分＋（ｂ）成分＋（ｃ）成分]の比率を質量比で１／５０〜１／３、好ましくは１／３０〜１／３の範囲で混合することが効率的である。また、混合時の溶液の温度は２０〜６０℃、好ましくは２０℃〜４０℃が良好である。工程３において、混合時の温度は１０〜４０℃が好適である。
【００３９】
［布帛の消臭方法］
本発明では、本発明の布帛消臭剤をトリガー式スプレー装置等を用いて直接布帛に振り掛ける方法で消臭することもできるが、本発明の布帛消臭剤を含有する水溶液に布帛を浸漬させる消臭方法が好ましく、更には本発明の布帛消臭剤を０．０１〜２質量％、特に０．０２〜１．５質量％含有する水溶液に布帛を浸漬させる消臭方法が、布帛全体を効率よく消臭し、且つ効果の持続性を満足させるために好ましい。ここで、本発明でいう浸漬とは布帛が完全に水溶液に浸される状態をいい、スプレー等で布帛を湿らせる方法とは区別される。
【００４０】
本発明の消臭方法は浴比（布帛消臭剤を含有する水溶液の質量に対する被消臭布帛の質量の比率）を１／５〜１／５０、好ましくは１／７〜１／３０とするのが効率的である。また、浸漬時間は１〜６０分、好ましくは５〜３０分が好適であり、浸漬中攪拌等を加えても差し支えない。浸漬する水溶液の温度は５℃〜４０℃が効果的である。
【００４１】
本発明では使い勝手や効果の点から、洗濯時の洗浄液やすすぎ液に本発明の布帛消臭剤を添加する方法が好適である。また、市販の弱アルカリ性洗剤と併用して用いることも可能である。浸漬終了後は、水道水ですすぎ後、脱水して自然乾燥又は自動乾燥機を用いて乾燥する。
【００４２】
【実施例】
実施例１〜３及び比較例１〜４
下記成分を用いて表２に示す組成の布帛消臭剤を調製した。この布帛消臭剤を用い、下記方法で布帛を消臭し、その消臭性能を評価した。結果を表２に示す。
【００４３】
＜成分＞
・（ａ）成分
カチオン１：Ｎ−テトラデシル−Ｎ，Ｎ，Ｎ−トリメチルアンモニウムクロリドカチオン２：Ｎ−ラウロイルアミノプロピル−Ｎ，Ｎ，Ｎ−トリメチルアンモニウムクロリド
・（ｂ）成分
ＥＳ：ポリオキシエチレンラウリルエーテル硫酸ナトリウム（ＥＯ平均付加モル数４モル）
ノニオン：ポリオキシエチレンラウリルエーテル（ＥＯ平均付加モル数８モル）
・（ｃ）成分
エタノール：８−アセチル化蔗糖変性エタノール
イソプロピルアルコール
・（ｄ）成分
表１に示す組成の本発明に係わる香料１及び比較の香料２、３
【００４４】
【表１】
0004562958.tif 000005
【００４５】
・（ｅ）成分
抗菌剤：トリクロサン
・その他の成分
防腐・防黴剤：プロキセルＢＤＮ（商品名、ゼネカ社製）
＜消臭方法＞
被消臭物である肌着（木綿１００％、１０人の３０代〜４０代男性が２ヶ月以上着用と洗濯を繰り返した中古肌着を、さらに１２時間着用した肌着）１０枚を、市販の弱アルカリ性洗剤（花王（株）製アタック）２０ｇ、及び水道水３０Ｌの入った洗濯機（東芝製２槽式洗濯機ＶＨ−３６０Ｓ１）に入れ、さらに表２の布帛消臭剤２０ｇを入れて洗浄した（水温２０℃、１０分間洗浄、浴比１／３０）。その後洗浄液を排出し、３分間脱水後、３０Ｌの水道水を注水して５分間すすぎを行い、排水後３分間脱水を行い、室内で２４時間陰干し、乾燥後の肌着の臭いを下記の方法で評価した。
【００４６】
＜消臭性能評価法＞
３０歳代の男性及び女性１０人（各５人ずつ）のパネラーに消臭対象物の臭いを嗅いでもらい、下記の六段階臭気強度表示法で評価し、平均点を求めた。平均点０以上０．５未満を◎、平均点０．５以上１未満を○、１以上２未満を◇、２以上３未満を△、３以上５以下を×とした。
０：香料の香り以外の異臭はない。
１：香料の香り以外に、かすかに皮脂臭が感じられる
２：香料の香り以外に皮脂臭が感じられる
３：香料の香り以外に明らかに皮脂臭が感じられる
４：香料の香り以外に強く皮脂臭が感じられる
５：香料の香り以外に耐えられないほど強く皮脂臭が感じられる
【００４７】
【表２】
0004562958.tif 000006
【００４８】
【発明の効果】
本発明の布帛消臭剤は、洗濯時の洗浄液やすすぎ液に添加することで、洗濯だけでは除去することができない皮脂や汗等に由来する衣料全体の臭いを効率よく消臭することができる。